(57)【要約】【課題】内側から施錠されているために外側からはドア本体を開けることができないというような緊急事態が発生していることに、トイレの外側にいる家人等が気付いた場合に、慌てることなく、当該外側にいる家人が特別の工具や利器等を使用しないでも簡単且つ容易に外から開けて、中の人を一刻も早く救出できるようにした新規のドア装置を提供する。【解決手段】２個の磁石２の吸着力でドア本体３を取付状態にするドア取付装置部４と、ドア本体３を上記各磁石２の吸着面に沿う平行方向に移動させることで当該ドア本体３を外し状態にするドア移動装置部５を有し、上記ドア取付装置部４は、磁性材料製蝶番６と当該蝶番６を吸着してドア本体３を取付状態にする磁石２から構成され、またドア移動装置部５は、紐７を引くことでドア本体３を磁石２の吸着面に沿う平行方向に移動させて外す構成にしてある。【選択図】        図１
2005105788.tif 000002
【特許請求の範囲】
【請求項１】
ドア取付枠部に対してドア本体を開閉自在に取付けるための蝶番装置に関し、蝶番本体を吸着してドア本体を取付状態にする磁石を有し、この磁石は、その吸着面に沿う平行方向に前記ドア本体が移動された場合には、当該ドア本体を外れた状態にしうるようにされたことを特徴とする蝶番装置。
【請求項２】
前記ドア取付枠部側に取付けられる固定側片と前記ドア本体側に取付けられる可動側片とが枢軸により罷動自在に連結された蝶番本体と、前記固定側片を吸着力により吸着しうる状態にして前記ドア取付枠部の内周面に取付けられる磁石と、前記固定側片を前記磁石の吸着面に沿う平行方向に移動させうる状態にして前記ドア本体に取付けられるドア移動装置部とを備えたことを特徴とする蝶番装置。
【請求項３】
前記ドア本体を蝶番により開閉自在に取付けたドア装置に関し、前記蝶番を吸着して前記ドア本体を前記ドア取付枠部側に取付状態にする取付装置部と、ドア本体を前記磁石の吸着面に沿う平行方向に移動させうる状態で当該ドア本体に設けられたドア移動装置部を備えたことを特徴とする蝶番装置を用いたドア装置。
【請求項４】
ドア移動装置部が、引紐や引手等引き具であることを特徴とする請求項３記載の蝶番装置を用いたドア装置。
【請求項５】
前記蝶番は、可動側片がドア本体への取付孔を有する平板とされ、固定側片が取付孔無しの平板とされていることを特徴とする請求項３または４記載の蝶番装置を用いたドア装置。
【請求項６】
前記磁石は、前記ドア取付側辺個所の内周面に丸孔を設けて当該丸孔に抜去不能に嵌着することで取付けられたことを特徴とする請求項３〜５のうちの１つ請求項記載の蝶番装置を用いたドア装置。
【発明の詳細な説明】
【技術分野】
【０００１】  本発明は、開き戸形式のドアを取り付ける場合に使用される蝶番装置及びこれを用いたドア装置に関する。具体的には、トイレに入っている人が中で発作等を起して自分ではドアを開けることができなくなってしまったというような一刻を争う緊急事態が発生したとき、またはドアを外し状態にしてスペースを広くしたいとき、または一時的に外しておきたいときなどの場合に、簡単且つ容易に外せるようにドアを取り付けるための蝶番装置及びこれを用いたドア装置に関する。
【背景技術】
【０００２】  一般に、トイレのドアは、中から施錠されている場合、外からは特別な工具や利器を使用して破壊しなければ、開けられない構造に造られている。【０００３】  このような構造であったために、例えば、トイレに入っている人が中で発作等を起して倒れるなどしたときには、中から施錠されているために外から開けられなくなることが往々にあった。【０００４】  前記のように外から開けられない事態が発生したために、一刻を争う発作等の治療が遅れ、当該治療に即応した有効で且つ充分な処置ができないことが多く、できなかったかったばかりに、不本意な結果を招くことになってしまう事例も比較的多くあった。【０００５】  また、開けられなくなってからの経過時間、すなわち発作を起してからの経過時間を短くできたことによって、有効な素早い処置を充分に施すことができたので、好ましい結果を得ることができたという事実が多くあるということもよく耳にすることである。【０００６】  要するに、不測の緊急事態を回避するためには、前記事態に即応した有効且つ充分な処置を可及的短い時間で行なうことが極めて大事なことである。【０００７】  また、間仕切として使用されている仕切ドアやアコーディオン・ドア等は、これを外して間口を広くしたい、または一時的に外しておきたいという要望も比較的多くあった。
【発明の開示】
【発明が解決しようとする課題】
【０００８】  本発明は、前記のような実情に鑑み、不測の緊急事態に即応した有効で且つ充分な処置を可及的短い時間で行い得るようにするために、または前記要望に応えるため等に有効な、新規の蝶番装置及びこれを用いたドア装置を提供することを目的とする。
【課題を解決するための手段】
【０００９】  前記目的を達成するために本発明の請求項１に係る蝶番装置は、ドア取付枠部に対してドア本体を開閉自在に取付けるための蝶番装置に関するものであって、蝶番本体を吸着してドア本体を取付状態にする磁石を有し、この磁石は、その吸着面に沿う平行方向に前記ドア本体が移動されたときに、当該ドア本体を外れた状態にしうるようにされたことを特徴とする。【００１０】  したがって、請求項１に係る蝶番装置を用いることで、ドア本体を前記磁石の吸着面に沿う平行方向に移動させて外すこと、すなわち磁石の吸着力が弱く作用する横滑りの方向へドア本体を移動させて外すことができる新規のドア装置を容易に提供することが可能になる。【００１１】  すなわち、前記請求項１に係る蝶番装置を利用することで、前記一刻を争う緊急事態が発生したとき、またはドア本体を外し状態にしてスペースを広くしたいとき、または一時的に外しておきたいときなどの場合に簡単に外せる形式のドア装置を容易に提供することが可能になる。【００１２】  また、本発明の請求項２に係る蝶番装置は、前記ドア取付枠部側に取付けられる固定側片に対して前記ドア本体側に取付けられる可動側片が枢軸により罷動自在に連結された蝶番本体と、前記固定側片を吸着力により吸着しうる状態にして前記ドア取付枠部の内周面に取付けられる磁石と、前記固定側片を前記磁石の吸着面に沿う平行方向に移動させうる状態にして前記ドア本体に取付けられるドア移動装置部とを備えたことを特徴とする。【００１３】  したがって、請求項２に係る蝶番装置を用いることで、磁石の吸着力を強く受けない横滑り方向にドア本体を移動させてこれを外すことが容易にできるドア装置の提供をより簡単に実施することが可能になる。【００１４】  また、請求項１に係る蝶番装置は、蝶番本体と磁石とをセットにして包装した状態、また請求項２に係る蝶番装置は、蝶番本体と磁石とドア移動装置とをセットにして包装した状態にしてユーザーに提供することが可能になる。この包装した蝶番装置を入手したユーザーは、これを用いて既存のトイレのドアを、たとえば日曜大工作業等で、前記一刻を争う緊急事態発生時には工具等を使用しないでも簡単に外せる形式のドア装置に改造することが可能になる。【００１５】  また、本発明の請求項３に係るドア装置は、前記ドア本体を蝶番により開閉自在に取付けたドア装置に関し、前記蝶番を吸着して前記ドア本体を取付状態にする取付装置部と、前記ドア本体を前記磁石の吸着面に沿う平行方向に移動させうる状態にして当該ドア本体に設けられたドア移動装置部を備えたことを特徴とする。【００１６】  したがって、ドア本体側に磁性材料製蝶番を取り付ける工程と、ドア取付枠側に磁石を取り付ける工程とを別々にを行い、そののちに、前記ドア本体側に取付けた蝶番をドア取付枠側に取付けた磁石に吸着させる工程を行うことで完成品を得ることが可能になる。【００１７】  また、本発明の請求項４に係るドア装置は、ドア移動装置部が、引紐や引手等引き具であることを特徴とする。【００１８】  したがって、引紐や引手等引き具を引くという単純な、誰にでも容易にできる簡単な操作によって素早くドア本体を外すことが可能になる。【００１９】  また、本��明の請求項５に係るドア装置は、前記蝶番は、可動側片がドア本体への取付孔を有する平板とされ、固定側片が取付孔無しの平板とされていることを特徴とする。【００２０】  したがって、蝶番の取付はビス止めにより簡単に行うことが可能になり、また蝶番すなわちドア本体の外し操作は、固定側片が取付孔無しの平板で凸凹がないので、スムーズに且つ容易に行うことが可能になる。【００２１】  また、本発明の請求項６に係るドア装置は、前記磁石は、前記ドア取付側辺個所の内周面に丸孔を設けて当該丸孔に抜去不能に嵌着することで取付けられたことを特徴とする。【００２２】  したがって、磁石の取付は、ドリルで丸孔を穿設してこれに嵌着するだけという最も簡単な単純作業で可能になり、たとえば出張して現場作業をする等の簡易化、省時間化、省力化等を可能にする。【００２３】  因みに、前記のように紐や引手等によりドア本体に外し操作を行った場合には、中から施錠されている鍵は、蝶番が外し状態にされれば追従的に解錠される。このように追従的解錠ができる構造の鍵を使用することが望ましいが、蝶番を外し状態にした後に解錠操作を行ってから外す構造の鍵でも多少煩わしさは伴うが本発明の実施は可能である。
【発明の効果】
【００２４】  請求項１及び２に係る蝶番装置は、上記したように、既存のトイレのドアを、たとえば日曜大工作業で、前記一刻を争う緊急事態発生の場合に簡単に外せる形式のドア装置に改造することができる。【００２５】  請求項３〜６に係るドア装置は、前記の通りであるので、緊急時にはドア本体を比較的小さい力で簡単且つ容易に誰にでも外すことができ、不測の事態等に即応した有効で且つ充分な処置を短い時間内に行うことを可能にすることができるものであって、緊急事態の回避に頗る好適なものであるのみならず低コストで容易に実施することができる。【００２６】  前記したように本発明に係る蝶番装置及びドア装置は、たとえば、トイレに入っている人が中で発作等を起して倒れ、このために自分ではドアを開けて外に出ることができなくなる等のような、一刻を争う緊急事態の発生が懸念される個所に用いて有益なものである。【００２７】  本発明は、内側から施錠されているために外側からはドアを開けることができないというような事態が発生していることに、トイレの外側にいる家人等が気付いた場合には、これに慌てることなく、当該外側にいる家人が特別の工具や利器等を使用しないでも簡単且つ容易に外から開けて、中の人を一刻も早く救出することができ、不本意な結果を招くことに至ってしまう等の事例の解消に多いに役立つものである。このように緊急事態の発生等憂い事の解消に役立って、安心感の確保用品として極めて好適なものである。【００２８】  また、本発明に係るドア装置は、ドア取付装置部が蝶番本体と当該蝶番本体を吸着してドア本体を取付状態にする磁石から構成され、またドア移動装置部が引紐や引手等の引き具から構成されたものであるので、比較的入手し易い蝶番と磁石と引き具を以って実施できて安価に提供することができるのみならず、蝶番本体及び引き具をドア本体に取り付ける工程および磁石をドア取付枠側に固定する取り付ける工程を行う簡単な作業で完成できる好個の効果を有する。【００２９】  さらに、本発明に係るドア装置は、磁石の取付孔が丸孔とされた場合には、出張による現場作業、工場での製造作業等の簡易化、省時間化、省力化等ができて有利である。
【発明を実施するための最良の形態】
【００３０】  図は本発明の第１実施の形態に係るドア装置１を示すものであって、図１はトイレのドアを示す正面図であり、図２は要部を示す拡大正面図であり、図３は蝶番と磁石を示す斜視図であり、図４は要部の横断面図であり、図５は要部の縦断面図であり、図６はドアを外した状態で示す要部の横断面図であり、図７はドアを外した状態で示す要部の縦断面図であり、図８は紐の通し穴を通る横断面図である。【００３１】  前記第１実施の形態に係るドア装置１は、２個の磁石２の吸着力でドア本体３を取付状態にする取付装置部４と、ドア本体３を前記各磁石２の吸着面に沿う平行方向に移動させることで当該ドア本体３を外し状態にするドア移動装置部５を有する。【００３２】  前記取付装置部４は、蝶番６と当該蝶番６を吸着してドア本体３を取付状態にする磁石２から構成され、またドア移動装置部５は、紐７を引くことでドア本体３を磁石２の吸着面に沿う平行方向に移動させる構成にしてあるものである。【００３３】  前記蝶番６は、磁性材料製であり、固定側片８と可動側片９とを枢軸１０により連結することにより構成されている。本第１実施の形態に係るドア装置１は、上下２つの蝶番６が取付けられており、各蝶番６は、その可動側片９に多数個の取付孔１１を有し、これら取付孔１１を利用してドア本体３における開閉の基端辺側の縁面に取付ネジ１２により上下配置にして取り付けられている。なお、前記蝶番６は、その固定側片８のみが磁性材料製であればよい。【００３４】  また、前記磁石２は、トイレ１３の出入り口１４に設けられた枠部１５のドア取付側辺１６の内周面における上方位置及び下方位置にそれぞれ２個が取り付けられており、各磁石２は、同枠部１５におけるドア取付側辺１６の内周面にドリルで丸孔１７を設けてこれら丸孔１７に抜出不能に圧入されている。この場合、丸孔１７に接着剤（図示せず）を流し込んでおくことで、より抜出し辛くすることができる。【００３５】  前記磁石２は、角型、その他の形でもよく、また磁力を強化するためにヨークが添設された構成のものでもよい。さらにこれら磁石は、前記孔へ圧入して固定する代わりに別に用意した取付金具やネジ等を利用して固定することができる。【００３６】  また、前記ドア移動装置部５は、ドア本体３における取付側辺の上方の隅個所に通し孔１９を穿設し、この通し孔１９に紐７を通してからその内端に結び玉２０を設けることによって構成されている。この紐７はその外端部２１を握って強く引くようにされている。この外端部２１には端止玉２２が設けられている。この端止玉２２は、握っている手から抜けないようにするのに役立つものである。【００３７】  そして、前記のようにして取り付けた磁石２に前記蝶番６の固定側片８を吸着させるような状態を維持しながら前記ドア本体３を前記枠部１５内に嵌め入れる作業を行い、この作業によって前記ドア本体３をトイレ１３の出入り口１４に取り付ける。このようにして取り付けられたドア本体３は、蝶番６の固定側片８が枠部１５の磁石２に強く吸着して、通常のドア開閉使用のときには外れないようにしてある。この場合、磁石２による吸着力を充分に大きくしておくことが安全性確保のためにも大事なことであることは��うまでもない。【００３８】  なお、図中符号２４は、その一端がドア本体３に、他端が枠部１５にそれぞれ連結金具２５，２６を使用して繋留されている安全チエンであって、紐７の引き操作あるいは中で倒れた人が強く当たってしまった時の衝撃力等によってドア本体３が必要以上に大きく開いたり、ドアが外に外れ倒れたりして危険な状態にならないようにする機能を果すものである。また、符号２７はドア本体開閉用ノブを示す。【００３９】  次に、第２実施の形態に係るドア装置３１を図９及び図１０を参照しながら説明する。この第２実施の形態に係るドア装置３１は、ドア移動装置部５として引手３２を採用した構成にされたものである。なお、前記第１実施の形態と同一の部材には同一の符号を付し、これら部材に係る説明は省略する。【００４０】  前記引手３２は、Ｃ型を呈している金属製のものであって、特注品でない市販のものである。因みに、このように市販の引手が採用できることは、デザイン的に凝った引手が入手しやすい利点、ユーザーのニーズに応え易い利点等があって有利である。【００４１】  なお、前記引手には、インテリアにマッチした飾り付きのもの、色のもの、弱力者でも操作できるように梃子利用式構造にされたもの等を採用することが好ましい。【００４２】  以上の各実施の形態は、本発明の好適な例であるが、本発明の要旨を逸脱しない範囲で種々変更実施が可能である。
【図面の簡単な説明】
【００４３】
【図１】本発明の第１実施の形態に係るドア装置を示す正面である。
【図２】要部を示す拡大正面図である。
【図３】蝶番と磁石を示す斜視図である。
【図４】要部の横断面図である。
【図５】要部の縦断面図である。
【図６】ドアを外した状態で示す要部の横断面図である。
【図７】ドアを外した状態で示す要部の縦断面図である。
【図８】紐の通し穴を通る横断面図である。
【図９】本発明の第２実施の形態に係るドア装置の要部を示す拡大正面図である。
【図１０】引手の横中央を通る横断面図である。
【符号の説明】
【００４４】  １  第１実施の形態に係るドア
２  磁石
３  ドア本体
４  取付装置部
５  ドア移動装置部
６  蝶番
７  紐
８  固定側片
９  可動側片
１０  枢軸
１１  取付孔
１２  取付ネジ
１３  トイレ
１４  出入り口
１５  枠部
１６  ドア取付側辺
１７  嵌着孔
１９  通し孔
２０  結び玉
２１  外端部
２２  端止玉
２４  安全チエン
２５  連結金具
２６  連結金具
２７  ドア本体開閉用ノブ
３１  第２実施の形態に係るドア装置
３２  引手
【図１】
2005105788.tif 000003
【図２】
2005105788.tif 000004
【図３】
2005105788.tif 000005
【図４】
2005105788.tif 000006
【図５】
2005105788.tif 000007
【図６】
2005105788.tif 000008
【図７】
2005105788.tif 000009
【図８】
2005105788.tif 000010
【図９】
2005105788.tif 000011
【図１０】
2005105788.tif 000012